(57)【要約】【課題】前面枠を開けた際に、パチンコ遊技機本体の前面に開設された窓開口からその中の遊技球が零れて落下しないようにして、遊技者の利益を守ると共にパチンコホールの管理・営業上好ましいパチンコ遊技機を提供する。【解決手段】機枠３と遊技盤取付枠と遊技盤１とを備えたパチンコ遊技機本体２の前面に前面枠１０が開閉自在に軸着され、パチンコ遊技機本体２の前面でありかつ前面枠１０により覆われる部位に窓開口１９を開設し内部に流入した遊技球が前方へ転動する球転動空間を形成し、窓開口１９の下方に上下動し上端位置では該窓開口１９の下部を所定高さまで覆い下端位置では該窓開口１９の下端縁まで開く遮蔽板５５を配置し、遮蔽板５５を前面枠１０の開閉動作に伴い連動する作動機構５６と連結してなり、前面枠１０を開けたとき遮蔽板５５で窓開口１９の下部を覆い、前面枠１０を閉じたとき遮蔽板５５が下動して窓開口１９を開放するようにした。【選択図】図２
2010148972.tif 000002
【特許請求の範囲】
【請求項１】
機枠と該機枠の前面に装着される遊技盤取付枠と該遊技盤取付枠に配設される遊技盤とを備えたパチンコ遊技機本体の前面に、前記遊技盤の前面を覆う前面枠が開閉自在に軸着されるパチンコ遊技機であって、
前記パチンコ遊技機本体の前面でありかつ前記前面枠により覆われる部位に窓開口を開設すると共に内部に該窓開口と連通し流入した遊技球が後方から前方へ転動する球転動空間を形成し、
前記窓開口の下方に上下動し上端位置では該窓開口の下部を所定高さまで覆い下端位置では該窓開口の下端縁まで開く遮蔽板を配置し、前記遮蔽板を前記前面枠の開閉動作に伴い連動する作動機構と連結してなり、
前記前面枠を開けたとき前記遮蔽板が前記作動機構を介して上動しその上部で前記窓開口の下部を覆って前記球転動空間から前方へ転がる遊技球の落下を阻止し、
前記前面枠を閉じたとき前記作動機構を介し前記遮蔽板が下動して前記窓開口の下部を開放するようにしたことを特徴とするパチンコ遊技機。
【発明の詳細な説明】
【技術分野】
【０００１】
本発明は、取付基板に窓開口を開設した可変式入賞装置が遊技盤面に装着され、遊技盤が配設されるパチンコ遊技機本体の前側には該遊技盤を覆う前面枠が開閉自在に軸着されるパチンコ遊技機に関するものである。
【背景技術】
【０００２】
従来、遊技盤面を流下する遊技球を受け入れて内部に取り込み、更に、ゲームを進行してゆくタイプの可変式入賞装置（「センター役物」とも称される。）を遊技盤面のほぼ中央に装着してなるパチンコ遊技機がある。この可変式入賞装置は、遊技盤の前面に取り付ける取付基板に窓開口が開設され、該取付基板の後側に窓開口と連通する球転動空間が成形されている。取付基板の前面には、窓開口の両側に位置して電気的に傾倒又は起立し遊技盤面を流下する遊技球を入賞し易くしたり入賞しないようにする電動羽根が装着されている。該球転動空間の中央部には、後方へ緩やかに下傾する傾斜棚が配置されると共に床面の前端にＶ入賞口とその両側に位置して通常入賞口がそれぞれ並設されている。前記傾斜棚の両側に該傾斜棚の上面を転動する遊技球を受け入れることができる半球殻状の回転型電動部材が設けられ、後端壁面には腹部に前方へ進出可能に設けられ遊技球を受入れ可能なポケット形の進退動型電動部材を設けた人形が配置されている（例えば、特許文献１参照。）。
【０００３】
そして、電動羽根が傾倒・起立を繰り返している間にその中に遊技球が入賞すると、該遊技球は球転動空間に導かれ傾斜棚上面を後方へ転動し、半球殻状の回転型電動部材に当たったり又はその中に入ったりし、更には傾斜棚の後端縁から人形に当たりながら床面上に落下して最終的にＶ入賞口又は通常入賞口のいずれかに入賞するようになっている（例えば、特許文献１参照。）。
【先行技術文献】
【特許文献】
【０００４】
【特許文献１】特開２００６−８１７６６号公報（第３−４頁、図１乃至図４）
【発明の概要】
【発明が解決しようとする課題】
【０００５】
しかしながら、前記特許文献１のパチンコ遊技機にあっては、球転動空間内に傾斜棚が設けられると共に半球殻状の回転型電動部材や人形などが配置されている関係から、その内部が入り組んで複雑化している。そこで、球転動空間内に導かれた遊技球が、例えば、傾斜棚と半球殻状の回転型電動部材との間に挟まり、そこに停止して出てこないときがある。このような状態になると、遊技者はパチンコホールの係員を呼んで前面枠を開け、ピンなど先端の尖ったものを使って可変式入賞装置内に詰まった遊技球を取り除いてもらうことになる。
【０００６】
この際、床面を転動する遊技球が勢い余って窓開口からその前方へ飛び出し、そのまま落下して紛失してしまうことがある。このように、本来入賞球として処理されるべき遊技球が紛失してしまうことは、遊技者にとって損失になる。また、パチンコホールにあっては、パチンコ遊技機内に打ち込まれた遊技球の数とパチンコ遊技機から排出された遊技球の数といったデータをホールコンピュータで集計しており、この差球データを比較することによって、不正遊技の発見や営業方針などに役立てることを常としている。したがって、できるかぎり正確なデータを集計することが望ましい。
【０００７】
そこで、本発明は前記課題に鑑みてなされたもので、可変式入賞装置に入っても詰まって出てこない遊技球を取り出す際に、誤ってその遊技球を窓開口から飛び出させ落下させて紛失してしまうといったことがないようにして、遊技者の利益を守ると共にパチンコホールの管理・営業上も好適なパチンコ遊技機を提供することを目的とするものである。
【課題を解決するための手段】
【０００８】
かかる目的を達成するため、本発明のパチンコ遊技機は、遊技盤が配設されるパチンコ遊技機本体の前面に該遊技盤の前面を覆う前面枠が開閉自在に軸着され、前記遊技盤面には可変式入賞装置が装着されるパチンコ遊技機であって、前記可変式入賞装置は、前記遊技盤の前面に取り付ける取付基板に窓開口が開設されると共に該取付基板の後側に該窓開口と連通し入賞した遊技球が自在に転動する球転動空間が形成され、前記窓開口の下方に上下動する遮蔽板を配置し、前記遮蔽板を前記前面枠の開閉動作に伴い連動する作動機構と連結してなり、前記前面枠を開けたとき前記遮蔽板が前記作動機構を介して上動しその上部で前記窓開口の下部を覆って前記球転動空間から前方へ勢いよく転がる遊技球の落下を阻止し、前記前面枠を閉じたとき前記作動機構を介し前記遮蔽板が下動して前記窓開口の下部を開放するようにしたことを特徴とする。
【発明の効果】
【０００９】
本発明に係るパチンコ遊技機は、可変式入賞装置の窓開口の下方に自在に上下動する遮蔽板を配置し、遮蔽板を前面枠の開閉動作に伴い連動する作動機構と連結してなり、前面枠を開けたとき作動機構を介して遮蔽板が上動し窓開口の下部を覆って球転動空間から前方へ勢いよく転動する遊技球の落下を阻止し、前面枠を閉じたとき作動機構を介して遮蔽板が下動し窓開口の下部を開放するようにしたので、床面を勢いよく転動してくる遊技球も遮蔽板に当りその外側に零れ落下することがなくなる。
よって、これにより遊技者の利益を守ることができ、また、パチンコホールの管理・営業上も好適であるという効果を有する。
【図面の簡単な説明】
【００１０】
【図１】本発明に係るパチンコ遊技機の正面図。
【図２】可変式入賞装置の斜視図。
【図３】同正面図。
【図４】同一部切欠き側面図。
【図５】同背面図。
【図６】図３のＸ−Ｘ線断面図。
【図７】回転型電動部材の駆動状態を説明する斜視図。
【図８】（イ）（ロ）は作用を説明する透明板ユニットと要部の側面断面図。
【図９】（イ）（ロ）は作用を説明する透明板ユニットと要部の側面断面図。
【図１０】開放検知スイッチによる遮蔽板の動作を説明するブロック図。
【図１１】他の種類の可変式入賞装置の背面図。
【発明を実施するための形態】
【００１１】
以下、本発明に係るパチンコ遊技機の最良の実施の形態を図面に基づき説明する。図１は本発明に係るパチンコ遊技機の正面図である。該パチンコ遊技機Ａは、遊技盤１を配設したパチンコ遊技機本体２を備えている。パチンコ遊技機本体２は、縦長の長方形状の機枠３を有し、その前面に遊技盤取付枠（図示せず。）が装着され、該遊技盤取付枠に遊技盤１が配設される。
【００１２】
遊技盤１はその前面に、渦巻状のガイドレール４により囲まれるようにして遊技部１ａが形成される。該遊技部１ａのほぼ中央部に可変式入賞装置Ｂが配置され、その下方に中央に位置する始動入賞口５とその両側に位置する始動入賞口６，６とが配置されている。これら始動入賞口５，６は、遊技球が入賞することにより可変式入賞装置Ｂに設けられた後記する電動羽根２６を外側へ傾動させて開成させるためのものであって、例えば両側の始動入賞口６，６に遊技球が入賞すると電動羽根２６が一回開成し、中央の始動入賞口５に遊技球が入賞すると電動羽根２６が２回開成する。両側の始動入賞口６，６の上方にそれぞれ一般入賞口７，７が配置されている。また、ガイドレール４の内側に沿って電気的に発光するレール飾り８，８が配置され電飾効果を盛り上げるようにしている。遊技部１ａの下端部に、遊技盤１面を流下するも入賞し得なかった遊技球を排出するためのアウト球口９が設けられている。
【００１３】
パチンコ遊技機本体２の前面に、遊技盤１の前面を覆うようにして前面枠１０が配置される。該前面枠１０は、その一側をパチンコ遊技機本体２に軸着して自在に開閉できるようになっている。また、前面枠１０の中央部に該前面枠１０を閉じたとき遊技盤１の遊技部１ａと合致する円形状の透口１１が開設され、該透口１１に二枚の透明板を前後に平行に配置してなる透明板ユニット１２が装着される。そして、該透明板ユニット１２を通して遊技部１ａが視認できるようになる。前面枠１０の下方には、打球発射部（図示せず。）に供給される遊技球を貯留する上球受皿１３が装着された前板１４が同じく開閉自在に軸着される。また、その下方に上球受皿１３から溢れる遊技球を貯留する下球受皿１５が装着される下部前板１６が同じく開閉自在に軸着される。下部前板１６の前面一側に、回動することにより打球発射部から打ち出される遊技球の打球力を調節するための打球力調節ハンドル１７が装着される。
【００１４】
そこで、打球発射部から発射された遊技球はガイドレール４に沿って飛翔し、遊技部１ａに打ち込まれ始動入賞口５，６や一般の入賞口７に入賞するか、そのまま遊技盤１面を流下して下端部のアウト球口９に入る。これら始動入賞口５，６やアウト球口９に入った遊技球は、パチンコ遊技機Ａの外部に排出されることになる。この際、遊技部１ａに打ち込まれた遊技球とパチンコ遊技機Ａから排出される遊技球はすべて電気的にカウントされ、それら個数は常に一致するようになっている。
【００１５】
次に、可変式入賞装置Ｂについて説明する。図２は可変式入賞装置Ｂの斜視図、図３は同正面図、図４は同一部切欠き側面図、図５は同背面図、図６は図３のＸ−Ｘ線断面図である。可変式入賞装置Ｂは、遊技盤１の前面に取り付けられる取付基板１８を有し、該取付基板１８の中央部に前方へ突出する枠体２０により周囲を囲われる方形状の窓開口１９が開設されている。また、取付基板１８の裏側に窓開口１９を囲うようにして箱体２１が固着され、該箱体２１の内部に窓開口１９と連通する球転動空間２２が形成される。取付基板１８の前面であって枠体２０の上方には枠体２０の上辺２０ａより球流入用の間隔を離して突出板部２３が形成され、該突出板部２３の前面にドットマトリックス表示器２４および７セグメント表示器２５が設けられている。そして、枠体２０の上辺２０ａの両側に、下端部で軸支した電動羽根２６，２６によって開閉する入球口２７，２７がそれぞれ形成され、各電動羽根２６の内側には受け入れられた遊技球をカウントするカウントスイッチ２８が配置される。
【００１６】
各電動羽根２６は、回転自在に軸支された水平な回動軸２９の前端に設けられ、該回動軸２９の後端部にクランク３０及び作動部材３１を介して第一ソレノイド３２が連結される。そして、該第一ソレノイド３２が動作することで電動羽根２６が図３の実線・仮想線で示したように起立状と傾動状（開状態）とに変動し、傾動状であるときに遊技盤１面を流下する遊技球が受け止められ入球口２７にそれぞれ入球し得る。いずれかの入球口２７から入賞した遊技球は、カウントスイッチ２８を通過してカウントされ球転動空間２２に導かれる。
【００１７】
球転動空間２２には、カウントスイッチ２８の下方に位置して傾斜棚３４が張設される。この傾斜棚３４は透明なプラスチック板により成形され、球転動空間２２の中間高さ位置に横断状にしかも後側へ緩やかに下傾するようにして設けられる。該傾斜棚３４の後端縁は、その後側正面壁３５から遊技球が落下し得る間隔を離して設けられ、その後側正面壁３５に前方へ突出するようにして人形３６が配置される。また、球転動空間２２の床面３７は前側へ緩やかに下傾するように設けられ、その前縁中央にＶ入賞口３８ａ（継続入賞口）が設けられ、その両側にやや広めの通常入賞口３８ｂ，３８ｂが設けられる。この内、Ｖ入賞口３８ａのみその内部に継続スイッチ３９が配置されている。Ｖ入賞口３８ａ、通常入賞口３８ｂの上面が床面３７の下端縁とほぼ同じ高さになっている。
【００１８】
人形３６の腹部に前方へ進出可能に設けられたポケット形の進退動型電動部材４０が設けられ、その後側の第二ソレノイド４１により作動するようになっている。人形３６の後側に相当する後側正面壁３５の後側には遊技球が通過し得る通路４２が形成され、該通路４２は人形３６の股下部に開設された放出口４３に連通している。通路４２の下方すなわち床面３７の下方に、第三ソレノイド４４の作動により枢支部４５を支点として前側を上下に傾動する押上げレバー４６が支持され、該押上げレバー４６の先端が放出口４３と対応するようにして床面３７の下流側に設けられた球留め孔４７から自在に出没する。また、放出口４３から床面３７に放出された遊技球は、球留め孔４７にその一部が嵌まり込んで停留するようになっており、押上げレバー４６により下から押し上げられ、球止め孔４７から抜け出た遊技球はそのまま前方へ回転してＶ入賞口３８ａに入賞することになる。
【００１９】
人形３６の両側で傾斜棚３４の両サイドに半球殻状の回転型電動部材４８，４８が配置される。各回転型電動部材４８，４８は傾斜棚３４の後部下方に横断状に配置される支持軸４９の両端部に設けられ、互いの凸面が向き合うようになっている。そして、図７に示すように支持軸４９の一端に従動ギヤ５０が取着され、該従動ギヤ５０に中継ギヤ５１を介して減速器付モータ５３のモータ軸に取着された駆動ギヤ５２が噛合している。そして、減速器付モータ５３の駆動によって両回転型電動部材４８，４８が図７の矢印方向へ低速回転する。各回転型電動部材４８には、等間隔に複数の透孔５４が開設され、傾斜棚３４上面に落下した遊技球が該透孔５４からその内側に入り得るようになっている。各回転型電動部材４８に入った遊技球は、他の透孔５４から下方へ落下する。
【００２０】
そこで、両電動羽根２６，２６が傾動動作したとき、いずれかの入球口２７に入球した遊技球は、カウントスイッチ２８を通過してカウントされると共に傾斜棚３４上面に落下し、傾斜棚３４上面を後方へ転動する。このうち、回転型電動部材４８の透孔５４中に落下した遊技球は、そのまま床面３７の左右いずれかの側端部に落下して床面上を前方へ転動する。この遊技球はいずれかの通常入賞口３８ｂに入賞する公算が非常に高い。一方、傾斜棚３４上面を後方へ転動し回転型電動部材４８に接触することもなく傾斜棚３４の中央に来た遊技球は、Ｖ入賞口３８ａに入賞する可能性が高いが、その確率は少ない。また、傾斜棚３４の上面中央に落下し傾斜棚３４をそのまま後方へ転動して間隔から人形３６の直前に落下する遊技球は、このときタイミング良く第二ソレノイド４１が作動して進退動型電動部材４０が図６鎖線に示すように進出していると、回転型電動部材４８によって受けられる。受けられた遊技球は、第二ソレノイド４１の作動で回転型電動部材４８が後退したときに通路４２を通って放出口４３に至り、前方へ転動すると共に球留め孔４７に嵌入して一時的に停留する。その後に、第三ソレノイド４４の作動により押上げレバー４６が回動してその前端を上動させることにより、球留め孔４７内の遊技球が押し出され、前方へ回転してＶ入賞口３８ａに入賞する。Ｖ入賞口３８ａに入賞した遊技球は、落下して継続スイッチ３９により検出されると共にその下方へ排出される。
【００２１】
本発明にあっては、可変式入賞装置Ｂにおける枠体２０の前面に自在に上下動する遮蔽板５５が配置される。該遮蔽板５５は透明板が好ましく、その上端位置では窓開口１９の下部を所定高さまでを覆い、また、下端位置では、窓開口１９の下端縁まで開くようになっている。上端位置での高さは、床面３７上面を前方へ勢いよく転動する遊技球が窓開口１９から無用に飛び出して落下しないようにその飛び出しを阻止するに十分な高さに設定される。遮蔽板５５の上下動作は、次に説明する作動機構５６により行なわれる。すなわち、該作動機構５６は、取付基板１８の一側前面に前後端面が開放するようにして突設した筒状支持部５７に挿通される作動ピン５８と、取付基板１８の後面に配設され作動ピン５８と連繋されるリンク部材５９と、同じく取付基板１８の後面に配設されリンク部材５９と連繋されかつ遮蔽板５５とも連繋される一対の揺動部材６０，６０とから構成される。
【００２２】
筒状支持部５７は、前端面に通孔５７ａが開設され、該通孔５７ａに作動ピン５８の前端部が挿通される。該作動ピン５８は、前後方向に往復動してその前端部が通孔５７ａから自在に出没できるようになっている。筒状支持部５７には作動ピン５８の前側のフランジ５８ａと取付基板１８の裏面に固着される塞板５７ｂとの間に圧縮コイルバネ６１が内装され、該圧縮コイルバネ６１により作動ピン５８の前端部が常に通孔５７ａから前方へ突出するように付勢される。筒状支持部５７の前端は枠体２０の前端よりも僅かに後方へ下がって位置している。そして、筒状支持部５７から突出する作動ピン５８は、パチンコ遊技機本体２の前面を前面枠１０により閉めたとき、その透明板ユニット１２の透明板１２ａが当接して後方へ押され、前面枠１０を開放したときは、圧縮コイルバネ６１の付勢により前方へ所定寸法突出して停止する。
【００２３】
リンク部材５９は、取付基板１８の後面に突設する支持杆６２の後端に取付基板１８と直交する鉛直面内で前後に自在に揺動するリンク６３を軸着して構成され、上下両端部の内側にそれぞれ内側を向く水平な上下係合ピン６４ａ，６４ｂが設けられる。その内、上部係合ピン６４ａは作動ピン５８の後端部に設けられた上固定部６５ａの下向きの上二股部６６ａに係合している。取付基板１８の後面で窓開口１９の下方に沿って軸支される水平な軸杆６７の一側端に下固定部６５ｂが固着され、該下固定部６５ｂに設けられた上向きの下二股部６６ｂに下部係合ピン６４ｂが係合している。また、軸杆６７の両側に揺動部材６０がそれぞれ１個ずつ固着され、両揺動部材６０，６０の前端部が取付基板１８に開設された挿通孔１８ａから前方へ突出している。そして、各揺動部材６０の先端部に長孔６８が設けられている。一方、遮蔽板５５の後面に各揺動部材６０に対応位置して保持板６９が突設されると共に、該保持板６９の後端部に揺動部材６０の長孔６８に遊嵌する連結ピン７０が突設されている。そこで、リンク６３が作動してその下端部を後方へ引くと、下固定部６５ｂが後方へ回動すると共に軸杆６７が後方へ回動する。これに伴い、両揺動部材６０，６０が取付基板１８に対して直交する鉛直面内で前端部を上方へ回動させ、遮蔽板５５を所定寸法引き上げる。
【００２４】
本発明に係るパチンコ遊技機Ａは上記構成からなり、図８（イ）に示すように遊技中であって前面枠１０が閉められている状態では、前面枠１０に装着された透明板ユニット１２の透明板１２ａにより作動ピン５８が圧縮コイルバネ６１の付勢に抗して後退している。これにより、リンク６３の上部が後方へ移動すると共に下部が前方へ移動し、両揺動部材６０，６０の前端部が下方へ回動される。また、図８（ロ）に示すように遮蔽板５５が下方へ引き下げられて可変式入賞装置Ｂの窓開口１９全体が開放する。
【００２５】
一方、遊技中に可変式入賞装置Ｂ内に入賞した遊技球が球転動空間２２内の一箇所で詰まってしまうトラブルが発生したときは、遊技者はパチンコホールの従業員を呼び前面枠１０を開けてそのトラブルを解消してもらうことになる。この際、図９（イ）に示すように前面枠１０を開けると、作動ピン５８が圧縮コイルバネ６１の付勢により前方へ突出する。これに伴い、リンク６３の上端部が前方へ移動すると共に下端部が後方へ移動し、両揺動部材６０，６０の前端部が上方へ回動される。さらに、遮蔽板５５が上方へ所定寸法引き上げられて窓開口１９の下部前面を覆うことになる。これにより、たとえ詰まっていた遊技球を取り除いたとき、該遊技球が勢い余って床面３７を跳ねるようにして転動してきても、図９（ロ）に示すように遮蔽板５５に当ってその後側のＶ入賞口３８ａまたは通常入賞口３８ｂに入賞することになり、可動式入賞装置Ｂの外側へ零れるようなことがなくなる。
【００２６】
よって、遊技者は損失を蒙ることがなくなり、サービスの向上が図られ、パチンコホールにとっては、パチンコ遊技機Ａに打ち込まれる遊技球数と排出される遊技球数とを常に一致させることができ、管理・営業上好適である。前記遮蔽板５５の上方への所定寸法は、窓開口１９の下縁すなわち球転動空間２２内における床面３７の前端縁の高さ位置から少なくとも遊技球の半径以上あれば良い。例えば、遊技球の半径以上であって直径以下の範囲内で選ばれる。また、遮蔽板５５が上下動して窓開口１９を開閉できることを条件に、前面枠１０が開いたとき、窓開口１９全部を遮蔽板５５で覆うようにしても良い。
【００２７】
前面枠１０の開閉動作に伴い遮蔽板５５を上下動させるに、次に説明する機構を用いても良い。例えば、作動ピン５８を前面枠の開放検知スイッチとし、図１０のブロック図に示すように前面枠１０を閉じている状態では該開放検知スイッチが透明板ユニット１２の透明板１２ａに押されてＯＦＦ状態になっており、前面枠１０が開いたとき開放検知スイッチが開放されてＯＮ状態となるようにする。これにより、扉開放信号がホールコンピュータに出力され、パチンコ遊技機Ａの前面またはその上方であって該パチンコ遊技機が設置される所謂島台前面の適所に設けられた扉開放報知ランプを点灯させる。そして、駆動機構としての揺動部材ソレノイドが駆動して揺動部材６０を作動させ遮蔽板５５を遮蔽位置まで引き上げる。
【００２８】
または、例えば、前面枠１０の開閉動作をセンサにより感知し、駆動機構としてのソレノイドにより両揺動部材６０，６０を揺動させて遮蔽板５５を上下動させるようにしても良い。
【００２９】
図１１は、他の種類の可変式入賞装置の背面図を示す。この可変式入賞装置Ｂ１は、その中での遊技球の球詰まりを判別できるようにしたものである。更に詳しくは、従来のこの種の可変式入賞装置にあっては、例えば入球口における電動羽根の傾動動作により可変式入賞装置内に入賞した遊技球が球詰まりによってその中に取り残されている場合でも、再度、始動入賞口に遊技球が入賞すると電動羽根が傾動して入球口を開放するようになっている。このため、電動羽根の新たな傾動動作により可変式入賞装置内に遊技球が入賞した場合、残っていた遊技球と新たに入賞した遊技球とが相互に影響しあうことにより、予め設定した入賞確率とは異なる入賞確率になるおそれがあった。そこで、予め設定した入賞確率により遊技を行なうことができるようにしている。
【００３０】
この可変式入賞装置Ｂ１は、本発明に係る可変式入賞装置Ｂと全体的にほぼ同一の構成からなり、ただ、一個所のみＶ入賞口３８ａ又は通常入賞口３８ｂに入賞した遊技球を共に集めて検出する特別排出スイッチ７１が設けられている点で異なる。よって、本発明に係る可変式入賞装置Ｂと同一部位は同一番号を付すことにより詳しい説明は省略する。Ｖ入賞口３８ａと通常入賞口３８ｂとの下方にこれら入賞口から落下する遊技球を一箇所に集める球寄せ樋７２が設けられ、該球寄せ樋７２の流下端に特別排出スイッチ７１が配設される。これにより、球寄せ樋７２により寄せ集められた遊技球はすべて特別排出スイッチ７１により検出されてから、パチンコ遊技機Ａの外側へ排出されるようになっている。
【００３１】
なお、始動入賞口５，６への遊技球の入賞による電動羽根２６の傾動によって可変式入賞装置Ｂ１内に遊技球が入賞した場合、入球口２７内のカウントスイッチ２８によって遊技球の検出がされてから、それらすべての遊技球が特別排出スイッチ７１により検出されるまでの期間は、始動入賞口５，６に遊技球が入賞しても、電動羽根２６が傾動動作しないようにしている。これにより、可変式入賞装置Ｂ１内に遊技球が残っている状態で、新たな遊技球が入賞することがないため、予め設定した入賞確率とは異なる入賞確率により遊技が行なわれるのを防止できる。よって、このような可変式入賞装置Ｂ１に、その前面に位置させて窓開口１９から遊技球が飛び出るのを防ぐ遮蔽板５５を配置するのは極めて好適である。
【００３２】
本発明で説明した前面枠１０は、前記のように遊技盤１のみの前面をほぼ覆う大きさのもの以外に、上球受皿１３が装着された前板１４を含む大きさのもの、更には、パチンコ遊技機本体２の前面全体を覆う大きさのものも含む概念であり、これらいずれの前面枠にも本発明が適用できることは勿論である。
【符号の説明】
【００３３】
１        遊技盤
２        パチンコ遊技機本体
１０      前面枠
１８      取付基板
１９      窓開口
２２      球転動空間
５５      遮蔽板
５６      作動機構
Ａ        パチンコ遊技機
Ｂ        可変式入賞装置
Ｂ１      可変式入賞装置
【図１】
2010148972.tif 000003
【図２】
2010148972.tif 000004
【図３】
2010148972.tif 000005
【図４】
2010148972.tif 000006
【図５】
2010148972.tif 000007
【図６】
2010148972.tif 000008
【図７】
2010148972.tif 000009
【図８】
2010148972.tif 000010
【図９】
2010148972.tif 000011
【図１０】
2010148972.tif 000012
【図１１】
2010148972.tif 000013